(57)【要約】【課題】  取り付けが容易で場所を取らず、かつゴミを廃棄し易い開口式ゴミ袋を提供する。【解決手段】  袋部２に形成された開口部８近傍の第一マチシート６、前側シート４、及び第二マチシート７に跨ってアーチ状に開口部固定支持体１０が設けられる。これにより、開口部固定支持体１０と後側シート５との間に開口が形成され、ゴミを容易に廃棄することができる。また、後側シート５の開口部８位置から延出される舌部３に設けられた接着面９部分が折り返えされ、作業台Ｗに接着されて固定される。これにより開口式ゴミ袋１が作業台Ｗに取り付けられるため、不要な場所を取らずに容易に開口式ゴミ袋１を設置することができる。【選択図】図１
2007001691.tif 000002
【特許請求の範囲】
【請求項１】
前側シートと後側シートとを有し一端に開口部が形成された袋部と、該後側シートの該開口部位置より延出された舌部とが備えられた開口式ゴミ袋において、
一面と他面とを有し、長辺方向長さが該開口部周長の半分以上である開口部固定支持体を更に備え、
該舌部には、該後側シートの内面と同一面に該開口部の周方向と略平行な接着面を構成する接着面構成部が設けられ、該接着面構成部が被接着対象に接着したとき該舌部が折り返されて該袋部を被接着対象から垂下させ、
該開口部固定支持体は、該開口部近傍にその長辺方向が該開口部周方向と平行になるとともに、該一面は少なくとも該前側シート内面に当接して設けられていることを特徴とする開口式ゴミ袋。
【請求項２】
該袋部は、該前側シートの一側部と該後側シートの一側部とを連結する第一マチシートと、該前側シートの他側部と該後側シートの他側部とを連結する第二マチシートと、を更に備え、
該開口部固定支持体の該一面は、該第一マチシートと該前側シートと該第二マチシートとに跨って当接して設けられていることを特徴とする請求項１に記載の開口式ゴミ袋。
【請求項３】
該接着面構成部は、該前側シートの開口縁から離間した位置に設けられていることを特徴とする請求項１または請求項２のいずれかに記載の開口式ゴミ袋。
【請求項４】
該開口部固定支持体の該一面には、該前側シート内面に対しての該開口部固定支持体のズレを防止するズレ防止部が設けられていることを特徴とする請求項１乃至請求項３のいずれか一に記載の開口式ゴミ袋。
【請求項５】
ゴミ袋の開口部を開口状態に保つ開口部固定支持体であって、
一面と他面とを備え、該一面が前側シートと後側シートとを含む該ゴミ袋の該開口部内の該前側シート内面に当接可能であると共に、該一面の長辺方向の長さが該ゴミ袋の開口部周長の半分以上であることを特徴とする開口部固定支持体。
【発明の詳細な説明】
【技術分野】
【０００１】
本発明はゴミ袋に関し、特に開口部が保持された開口式ゴミ袋に関する。
【背景技術】
【０００２】
従来、ナイロン、ＰＰ等のプラスティックフィルム、或いは紙等のゴミ袋において、切り屑等を廃棄する場合には、ゴミ袋の開口部を開口状態に保つと共に、ゴミ袋自体を支持する必要があるため、例えば特許文献１に袋を開口状態に保つ支持環とゴミ袋を支持する柱脚とを備えたゴミ袋が開示されている。
【特許文献１】特開２００２−１２３０１号公報
【発明の開示】
【発明が解決しようとする課題】
【０００３】
しかし、従来のゴミ袋では、開口状態に保つ支持環と、この支持環を支持する柱脚が必要であり、これらにゴミ袋を都度装着する必要があった。また柱脚自体が場所を取り、狭い場所での作業において、ゴミ袋が作業の邪魔になることがあった。更にゴミ袋を作業台に設置した際に、ゴミ袋と作業台との間に柱脚が介在することがあり、この場合では、作業台から直接ゴミ袋内にゴミを廃棄することができず、ゴミの廃棄性能が劣っていた。
【０００４】
そこで、本発明は、取り付けが容易で場所を取らず、かつゴミを廃棄し易い開口式ゴミ袋を提供することを目的とする。
【課題を解決するための手段】
【０００５】
上記目的を達成するために、本発明は前側シートと後側シートとを有し一端に開口部が形成された袋部と、該後側シートの該開口部位置より延出された舌部とが備えられた開口式ゴミ袋において、一面と他面とを有し、長辺方向長さが該開口部周長の半分以上である開口部固定支持体を更に備え、該舌部には、該後側シートの内面と同一面に該開口部の周方向と略平行な接着面を構成する接着面構成部が設けられ、該接着面構成部が被接着対象に接着したとき該舌部が折り返されて該袋部を被接着対象から垂下させ、該開口部固定支持体は、該開口部近傍にその長辺方向が該開口部周方向と平行になるとともに、該一面は少なくとも該前側シート内面に当接して設けられている開口式ゴミ袋を提供している。
【０００６】
このような構成によると、ゴミ袋が比接着対象に接着され垂下された状態を保つことが可能であり、かつ開口部固定支持体がアーチ状に湾曲した状態で開口部近傍に設けられる。
【０００７】
また、該袋部は、該前側シートの一側部と該後側シートの一側部とを連結する第一マチシートと、該前側シートの他側部と該後側シートの他側部とを連結する第二マチシートと、を更に備え、該開口部固定支持体の該一面は、該第一マチシートと該前側シートと該第二マチシートとに跨って当接して設けられていることが望ましい。
【０００８】
また、該接着面構成部は、該前側シートの開口縁から離間した位置に設けられていることが望ましい。
【０００９】
また、該開口部固定支持体の該一面には、該前側シート内面に対しての該開口部固定支持体のズレを防止するズレ防止部が設けられていることが望ましい。
【００１０】
また、本発明は、ゴミ袋の開口部を開口状態に保つ開口部固定支持体であって、一面と他面とを備え、該一面が前側シートと後側シートとを含む該ゴミ袋の該開口部内の該前側シート内面に当接可能であると共に、該一面の長辺方向の長さが該ゴミ袋の開口部周長の半分以上である開口部固定支持体を提供する。
【発明の効果】
【００１１】
本発明の請求項１記載の開口式ゴミ袋によれば、接着面によりゴミ袋自体を被接着対象、例えば作業台や台所のシンク等に直接設置することが可能となり、設置に係る機材を省くことが可能となる。また、直接設置することにより、最小限のスペースでゴミ袋を設置することが可能となって作業環境が良好になり、作業性能が向上する。また、開口部に設けられた開口部固定支持体がアーチ状に湾曲して固定されるため、開口部固定支持体他面と後側シートとの間に開口が形成される。後側シートは舌部に設けられた接着面で被接着対象に接着されているため、例えば作業台上にあるゴミを、そのままゴミ袋側に落としたとしても、このゴミは開口部の開口に落ちる。よって床面等にゴミが落ちることを抑制し、好適にゴミを廃棄することが可能となる。
【００１２】
請求項２記載の開口式ゴミ袋によれば、マチ付きのゴミ袋において、第一マチシートと前側シートと第二マチシートとにわたって開口部固定支持体がアーチを形成する。よって開口部に開口が形成され、この開口内にゴミを廃棄することが可能となる。
【００１３】
請求項３記載の開口式ゴミ袋によれば、マチのないゴミ袋においても、接着面構成部から開口部までの距離があるため、その間の舌部が撓むことが可能となる。よって、この撓み部分があることにより、開口部固定支持体で開口部に開口が形成され、この開口内にゴミを廃棄することが可能となる。
【００１４】
請求項４記載の開口式ゴミ袋によれば、開口部固定支持体を開口部近傍に設置した際に、ズレ防止部材により、開口部固定支持体がずれることが防止される。よってゴミ袋を設置した際、開口部に常時好適な開口を形成することが可能となる。
【００１５】
請求項５記載の開口部固定支持体によれば、ゴミ袋の開口部に開口を設けることが可能となり、ゴミ袋にゴミを容易に廃棄することが可能となる。
【発明を実施するための最良の形態】
【００１６】
本発明の第１の実施の形態による開口式ゴミ袋について図１乃至図３を参照しながら説明する。図１に示す開口式ゴミ袋１は、図２に示す袋部２と図３に示す開口部固定支持体１０とを主な構成としている。
【００１７】
図２に示すように袋部２は、ＰＰ（ポリプロピレン）を基材としており、略方形の前側シート４の一側辺と略方形の後側シート５の一側辺とが第一マチシート６により連結され、前側シート４の他側辺と後側シート５の他側辺とが第二マチシート７により連結されて構成されている。この前側シート４と後側シート５とは、天地方向、幅方向ともに略同じ長さである。袋部２の天地方向において、天部位置では前側シート４、第一マチシート６、後側シート５、及び第二マチシート７を外周壁として開口部８が形成されている。また、地部位置では、前側シート４と後側シート５とが直接連結され、閉塞状態になっている。
【００１８】
後側シート５の天部辺からは、後側シート５と同一シートの舌部３が延出されている。この舌部３は、後側シート５に対して、自由に屈曲することが可能である。舌部３の内面側には、接着面９が設けられている。この接着面９は、舌部３の一側辺側から他側辺側まで、帯状に構成されている。また、この接着面９は、通常、図示せぬ剥離紙で覆われており、開口式ゴミ袋１を使用時に、この図示せぬ剥離紙を剥がして接着面を露出させて使用する。
【００１９】
図１に示すように、開口部８の近傍には、第一マチシート６、前側シート４、及び第二マチシート７に渡って開口部固定支持体１０が周方向に渡って設けられている。開口部固定支持体１０は、図３に示すように、略長方形の弾性体である樹脂性板材より構成され、その一面側には、接着剤が塗布されたズレ防止部１０Ａが複数箇所設けられている。この開口部固定支持体１０の長辺方向長さは、第一マチシート６、前側シート４、及び第二マチシート７の幅方向長さの和と略同じ長さになっている。
【００２０】
これら袋部２と開口部固定支持体１０とにより構成される開口式ゴミ袋を使用する際には、先ず開口部固定支持体１０を、その長さ方向が第一マチシート６、前側シート４、及び第二マチシート７に跨るように開口部８近傍に取り付ける。具体的には、開口部固定支持体１０を一面側が凸状になるようにアーチ状に曲げた後に、このアーチ状の凸状側を第一マチシート６、前側シート４、及び第二マチシート７に当接させる。この場合、開口部固定支持体１０は、第一マチシート６、前側シート４、及び第二マチシート７と、後側シート５との開口部８周方向長さの違いにより、第一マチシート６、前側シート４、及び第二マチシート７に当接した状態でアーチ状に保持される。よって、開口部固定支持体１０と、後側シート５との間に、開口が形成される。また、第一マチシート６、前側シート４、及び第二マチシート７の内面には、ズレ防止部１０Ａが当接しているため、開口部固定支持体１０を取り付けた後に開口部固定支持体１０のズレ等は発生し難い。
【００２１】
開口部固定支持体１０の取り付けと前後して、袋部２を被接着対象である作業台Ｗに固定する。具体的には、接着面９より図示せぬ剥離紙を剥がした後に、舌部３の接着面９が設けられている部分を折り返す。そして、接着面９を作業台Ｗに張り付けて袋部２を固定する。この時に袋部２は作業台Ｗより垂下された状態になる。以上より、開口式ゴミ袋１が作業台に取り付けられる。
【００２２】
また、開口式ゴミ袋１にゴミが廃棄され一杯になった後は、作業台Ｗより取り外し、接着面９を折り返して前側シート４の外面に張り付けることにより、袋部２が密閉され、そのまま廃棄することが可能である。この際に、開口部固定支持体１０は、一緒に廃棄しても良いし、取り外して新たな袋部２と組み合わせ、再度開口式ゴミ袋１を構成しても良い。
【００２３】
次に第２の実施の形態として、マチ無しの袋部を用いた開口式ゴミ袋について図４及び図５を参照しながら説明する。図４に示すように、第二の実施の形態に係る袋部２２は、略長方形の前側シート２４と後側シート２５とが、側辺及び天地方向の地部辺で繋がっている。よって、この前側シート２４と後側シート２５との天部辺に開口部２８が形成される。また、後側シート２５の天部辺より舌部２３が延出されており、舌部２３の内面側で、舌部２３と後側シート２５との連結部分より離れた位置に、接着面２９が設けられている。この接着面２９は、舌部２３の一側辺側から他側辺側まで、帯状に構成されている。
【００２４】
開口部固定支持体３０は、第一の実施の形態と同様な形状をしており、その長辺方向長さは、前側シート２４の幅方向長さより約１０％程度長くなっている。
【００２５】
図５に開口部固定支持体３０を袋部２２に組み合わせて開口式ゴミ袋２１を構成し、被接着対象に取り付けた状態を示す。開口部固定支持体３０は、開口部２８近傍の後側シート２５の一端側から前側シート２４を介して後側シート２５の他端側に跨ってアーチを形成するため、後側シート２５の両側辺部分が捲られる形態になる。この場合に、舌部２３の接着面２９から後側シート２５の開口部２８位置までは離間しているため、後側シート２５の両側辺部分が多少捲られたとしても、舌部２３の接着面２９〜開口部２８間で捲られたシートが徐々に捲られていない状態になり、接着面２９まで捲られることを防止している。よってマチ部がない袋部２２を用いた場合でも、マチ部を有する第一の実施の形態に係る開口式ゴミ袋１と同様に開口部固定支持体３０と後側シート２５との間に開口を形成してゴミを廃棄可能であり、また同様に、作業台等の被接着対象に開口式ゴミ袋２１を設置することが可能となる。
【００２６】
本発明による開口式ゴミ袋は、上述した実施の形態に限定されず、特許請求の範囲に記載した範囲で種々の変形や改良が可能である。例えば、マチ部を備えた開口式ゴミ袋において、接着面と開口部とを離間させておくことにより、後側シートの一端側から第一マチシート、前側シート、第二マチシートを介し、後側シートの他端側まで跨って開口部固定支持体を設けても良い。こうすることにより、開口部により大きな開口を形成することが可能となり、ゴミを廃棄しやすくなる。また、袋部の基材については、上述のＰＰに限定せず、その他ビニロン、ポリエチレン等の樹脂を用いた袋でもよく、また紙袋等でも良い。また開口部固定支持体においては樹脂製に限定せず、例えば金属製ならば繰り返し使用することが容易であり、紙製であるならば燃えないゴミとして廃棄する際に開口部固定支持体を取り外すことなく一緒に廃棄することが可能となる。また接着面においても、舌部の一側辺側から他側辺側まで、連続して形成されている必要はなく、接着面が複数箇所に分かれて設けられていても良い。
【図面の簡単な説明】
【００２７】
【図１】第一の実施の形態に係る開口式ゴミ袋の全体図。
【図２】第一の実施の形態に係る開口式ゴミ袋の袋部を表す全体図。
【図３】第一の実施の形態に係る開口式ゴミ袋の開口部固定支持体を表す全体図。
【図４】第二の実施の形態に係る開口式ゴミ袋の袋部を表す全体図。
【図５】第二の実施の形態に係る開口式ゴミ袋の舌部周辺を表す部分詳細図。
【符号の説明】
【００２８】
１、２１  開口式ゴミ袋    ２、２２  袋部    ３、２３  舌部
４、２４  前側シート    ５、２５  後側シート    ６  第一マチシート
７  第二マチシート    ８、２８  開口部    ９、２９  接着面
１０、３０  開口部固定支持体    １０Ａ  ズレ防止部    Ｗ  作業台
【図１】
2007001691.tif 000003
【図２】
2007001691.tif 000004
【図３】
2007001691.tif 000005
【図４】
2007001691.tif 000006
【図５】
2007001691.tif 000007